(57)【要約】【課題】使用状況に応じて携帯性又は再生可能な楽曲数の多さを優先した形態で使用することができる携帯型音楽再生装置、及び該携帯型音楽再生装置に装着可能なモジュールを含む音楽再生システムを提供する。【解決手段】携帯型音楽再生装置１は、音楽データを記憶部１１０に記憶し、音楽データに基づいた音楽を再生する。また記憶モジュール２を装着している状態では、携帯型音楽再生装置１は、音楽データを記憶モジュール２の記憶部２１に記憶し、記憶部２１が記憶する音楽データに基づいた音楽を再生する。記憶モジュール２の記憶部２１は、携帯型音楽再生装置１が内部に備える記憶部１１０よりも大容量である。使用者は、記憶モジュールを着脱することで、使用状況に応じて携帯性又は再生可能な楽曲数の多さを優先した形態で使用することが可能となる。【選択図】図１
2007101898.tif 000002
【特許請求の範囲】
【請求項１】
音楽データを記憶する記憶手段と、該記憶手段が記憶する音楽データに基づいた音楽を再生する再生手段とを備える携帯型音楽再生装置において、
着脱自在に構成された記憶モジュールを装着する手段と、
該手段が前記記憶モジュールを装着している場合に、前記記憶モジュールが記憶する音楽データを前記記憶モジュールから読み出す読み出し手段とを備え、
前記再生手段は、
前記読み出し手段が前記記憶モジュールから読み出した音楽データに基づいた音声を再生する手段を有すること
を特徴とする携帯型音楽再生装置。
【請求項２】
音楽データを記憶する第１記憶手段、及び該第１記憶手段が記憶する音楽データに基づいた音楽を再生する再生手段を備える携帯型音楽再生装置と、
音楽データを記憶する第２記憶手段を備え、前記携帯型音楽再生装置に対して着脱自在に構成してある記憶モジュールとを含む音楽再生システムであって、
前記携帯型音楽再生装置は、
前記記憶モジュールを装着する装着手段と、
該装着手段が前記記憶モジュールを装着した状態で、前記第２記憶手段が記憶する音楽データを前記記憶モジュールから読み出す読み出し手段とを備え、
前記再生手段は、
前記読み出し手段が前記記憶モジュールから読み出した音楽データに基づいた音声を再生する手段を有すること
を特徴とする音楽再生システム。
【請求項３】
前記記憶モジュールは、
当該記憶モジュールを認証するための認証情報を記憶する認証情報記憶手段を更に備え、
前記携帯型音楽再生装置は、
前記装着手段が前記記憶モジュールを装着した場合に、前記記憶モジュールから認証情報記憶手段が記憶する前記認証情報を読み出す手段と、
該手段が読み出した前記認証情報に基づいて、前記記憶モジュールが特定のモジュールであるか否かを判定する手段と、
該手段により前記記憶モジュールが特定のモジュールではないと判定された場合に、前記読み出し手段が前記記憶モジュールから音楽データを読み出すことを禁止する手段と
を更に備えることを特徴とする請求項２に記載の音楽再生システム。
【請求項４】
前記第２記憶手段は、前記第１記憶手段よりも大量の音楽データを記憶可能なように構成してあることを特徴とする請求項２又は３に記載の音楽再生システム。
【請求項５】
音楽データを記憶する記憶手段、及び該記憶手段が記憶する音楽データに基づいた音楽を再生する再生手段を備える携帯型音楽再生装置と、
放送された音声データを受信する受信手段を備え、前記携帯型音楽再生装置に対して着脱自在に構成してある受信モジュールとを含む音楽再生システムであって、
前記携帯型音楽再生装置は、
前記受信モジュールを装着する手段と、
該手段が前記受信モジュールを装着した状態で前記受信手段が受信した音声データに基づいた音声を出力する手段と
を備えることを特徴とする音楽再生システム。
【請求項６】
音楽データを記憶する記憶手段、及び該記憶手段が記憶する音楽データに基づいた音楽を再生する再生手段を備える携帯型音楽再生装置と、
外部を撮影して撮影画像データを作成する手段を備え、前記携帯型音楽再生装置に対して着脱自在に構成してある撮影モジュールとを含む音楽再生システムであって、
前記携帯型音楽再生装置は、
前記受信モジュールを装着する装着手段を備え、
前記記憶手段は、
前記装着手段が前記撮影モジュールを装着した状態で前記撮影モジュールが作成した撮影画像データを記憶する手段を有すること
を特徴とする音楽再生システム。
【発明の詳細な説明】
【技術分野】
【０００１】
本発明は、記憶している音楽データを再生する携帯型音楽再生装置、及び該携帯型音楽再生装置に装着可能なモジュールを含む音楽再生システムに関する。
【背景技術】
【０００２】
従来、磁気テープ又は光ディスク等の記録媒体に記録された音楽データを再生する携帯型音楽再生装置が普及している。更に近年では、ハードディスク又は半導体メモリ等の記憶手段を内部に備え、ＭＰ３（MPEG-1 Audio Layer-3）ファイル等のデータ形式になったデジタルの音楽データを記憶手段で記憶し、記憶した音楽データに基づいて音楽を再生する携帯型音楽再生装置が普及している。このような携帯型音楽再生装置を利用する場合は、通常、パーソナルコンピュータ（ＰＣ）等の情報処理装置で、音楽ＣＤ（Compact Disc）に記憶された情報から音楽データを作成するか、又は通信ネットワーク経由で音楽データを取得し、情報処理装置から携帯型音楽再生装置へ音楽データを転送し、携帯型音楽再生装置は転送された音楽データを記録する。
【０００３】
記録容量及び大きさが規定されている磁気テープ等の記録媒体と異なり、ハードディスク又は半導体メモリ等の記憶手段は大容量化及び小型化の推進が可能であるので、小型で大量の音楽データを記憶することができる携帯型音楽再生装置を開発することが可能となっている。特に記録手段として半導体メモリを用いた携帯型音楽再生装置は、ハードディスクを用いた携帯型音楽再生装置に比べて一層の小型軽量化が可能であり、より携帯性に優れたものとなっている。
【特許文献１】特開２００４−１４５３８８号公報
【発明の開示】
【発明が解決しようとする課題】
【０００４】
記憶手段として半導体メモリを用いた携帯型音楽再生装置は、ハードディスクを用いた携帯型音楽再生装置に比べて携帯性に優れる反面、記憶手段に記憶容量がより小さいので再生できる音楽の楽曲数がより少なくなる。このように、携帯型音楽再生装置の携帯性と再生できる楽曲数との間にはある程度のトレードオフの関係があるので、一の携帯型音楽再生装置であらゆる使用状況に適応するのは困難であるという問題がある。例えば、通勤時に携帯するには携帯性に優れた携帯型音楽再生装置の方が望ましいが、旅行時には、使用者が音楽を聴く時間がより長いので、携帯性に劣ってはいてもより多くの楽曲を再生できる携帯型音楽再生装置の方が便利である。また、ラジオ放送を受信する機能を備える等、携帯型音楽再生装置を更に多機能化する要望も存在するが、多機能化に伴って携帯型音楽再生装置が大型化して携帯性が損なわれるという問題がある。
【０００５】
本発明は、斯かる事情に鑑みてなされたものであって、その目的とするところは、必要に応じて記録手段の記録容量を増減可能に構成することにより、使用状況に応じて携帯性又は再生可能な楽曲数の多さを優先した形態で使用することができる携帯型音楽再生装置、及び該携帯型音楽再生装置に装着可能なモジュールを含む音楽再生システムを提供することにある。
【０００６】
また本発明の他の目的とするところは、携帯型音楽再生装置の携帯性を損なうことなく携帯型音楽再生装置の多機能化を実現することができる音楽再生システムを提供することにある。
【課題を解決するための手段】
【０００７】
本発明に係る携帯型音楽再生装置は、音楽データを記憶する記憶手段と、該記憶手段が記憶する音楽データに基づいた音楽を再生する再生手段とを備える携帯型音楽再生装置において、着脱自在に構成された記憶モジュールを装着する手段と、該手段が前記記憶モジュールを装着している場合に、前記記憶モジュールが記憶する音楽データを前記記憶モジュールから読み出す読み出し手段とを備え、前記再生手段は、前記読み出し手段が前記記憶モジュールから読み出した音楽データに基づいた音声を再生する手段を有することを特徴とする。
【０００８】
本発明に係る音楽再生システムは、音楽データを記憶する第１記憶手段、及び該第１記憶手段が記憶する音楽データに基づいた音楽を再生する再生手段を備える携帯型音楽再生装置と、音楽データを記憶する第２記憶手段を備え、前記携帯型音楽再生装置に対して着脱自在に構成してある記憶モジュールとを含む音楽再生システムであって、前記携帯型音楽再生装置は、前記記憶モジュールを装着する装着手段と、該装着手段が前記記憶モジュールを装着した状態で、前記第２記憶手段が記憶する音楽データを前記記憶モジュールから読み出す読み出し手段とを備え、前記再生手段は、前記読み出し手段が前記記憶モジュールから読み出した音楽データに基づいた音声を再生する手段を有することを特徴とする。
【０００９】
本発明においては、音楽データを記憶し、記憶する音楽データに基づいた音楽を再生する携帯型音楽再生装置は、記憶モジュールを装着している状態では、音楽データを記憶モジュールに記憶し、記憶モジュールが記憶する音楽データに基づいた音楽を再生する。記憶モジュールを装着した携帯型音楽再生装置は、記憶モジュールを装着しない場合に比べて、再生できる音楽の楽曲数が多くなる。
【００１０】
本発明に係る音楽再生システムは、前記記憶モジュールは、当該記憶モジュールを認証するための認証情報を記憶する認証情報記憶手段を更に備え、前記携帯型音楽再生装置は、前記装着手段が前記記憶モジュールを装着した場合に、前記記憶モジュールから認証情報記憶手段が記憶する前記認証情報を読み出す手段と、該手段が読み出した前記認証情報に基づいて、前記記憶モジュールが特定のモジュールであるか否かを判定する手段と、該手段により前記記憶モジュールが特定のモジュールではないと判定された場合に、前記読み出し手段が前記記憶モジュールから音楽データを読み出すことを禁止する手段と更に備えることを特徴とする。
【００１１】
また本発明においては、携帯型音楽再生装置は、記憶モジュールを認証し、記憶モジュールが携帯型音楽再生装置に対応する特定のモジュールではない場合は、携帯型音楽再生装置が記憶モジュール２から音楽データを読み出すことを禁止する。これにより、記憶モジュールから音楽データを読み出すことができるのは記憶モジュールが対応する特定の携帯型音楽再生装置のみとなる。
【００１２】
本発明に係る音楽再生システムは、前記第２記憶手段は、前記第１記憶手段よりも大量の音楽データを記憶可能なように構成してあることを特徴とする。
【００１３】
また本発明においては、記憶モジュールは、携帯型音楽再生装置が記憶できる音楽データよりも大量の音楽データを記憶することが可能であり、記憶モジュールを装着した携帯型音楽再生装置は、再生できる音楽の楽曲数がより多くなる。
【００１４】
本発明に係る音楽再生システムは、音楽データを記憶する記憶手段、及び該記憶手段が記憶する音楽データに基づいた音楽を再生する再生手段を備える携帯型音楽再生装置と、放送された音声データを受信する受信手段を備え、前記携帯型音楽再生装置に対して着脱自在に構成してある受信モジュールとを含む音楽再生システムであって、前記携帯型音楽再生装置は、前記受信モジュールを装着する手段と、該手段が前記受信モジュールを装着した状態で前記受信手段が受信した音声データに基づいた音声を出力する手段とを備えることを特徴とする。
【００１５】
また本発明においては、携帯型音楽再生装置は、受信モジュールを装着している状態では、ラジオ放送等で放送された音声データを受信モジュールを用いて受信し、受信した音声データに基づいて音声を出力する。このようにして、携帯型音楽再生装置は、受信モジュールを装着することでラジオ放送等で放送された音声を出力する機能を追加することができる。
【００１６】
本発明に係る音楽再生システムは、音楽データを記憶する記憶手段、及び該記憶手段が記憶する音楽データに基づいた音楽を再生する再生手段を備える携帯型音楽再生装置と、外部を撮影して撮影画像データを作成する手段を備え、前記携帯型音楽再生装置に対して着脱自在に構成してある撮影モジュールとを含む音楽再生システムであって、前記携帯型音楽再生装置は、前記受信モジュールを装着する装着手段を備え、前記記憶手段は、前記装着手段が前記撮影モジュールを装着した状態で前記撮影モジュールが作成した撮影画像データを記憶する手段を有することを特徴とする。
【００１７】
更に本発明においては、携帯型音楽再生装置は、撮影モジュールを装着している状態では、撮影モジュールを用いて外部を撮影して撮影画像データを作成し、作成した撮影画像データを記憶する。このようにして、携帯型音楽再生装置は、撮影モジュールを装着することで外部を撮影するカメラの機能を追加することができる。
【発明の効果】
【００１８】
本発明にあっては、記憶モジュールを装着した携帯型音楽再生装置は、特に携帯型音楽再生装置が記憶できる音楽データよりも大量の音楽データを記憶できる記憶モジュールを用いることにより、記憶モジュールを装着しない場合に比べて再生できる音楽の楽曲数がより多くなる。従って、使用者は、通勤時等の携帯性を重視したい状況では携帯型音楽再生装置のみを使用し、旅行時等の音楽を聴く時間がより長くなる状況では記憶モジュールを装着した携帯型音楽再生装置を使用する等、使用状況に応じて携帯性又は再生可能な楽曲数の多さを優先した形態で使用することが可能となる。
【００１９】
また本発明にあっては、記憶モジュールから音楽データを読み出すことができるのは記憶モジュールが対応する特定の携帯型音楽再生装置のみであり、その他の携帯型音楽再生装置に記憶モジュールが接続した場合でも、記憶モジュールから音楽データが読み出されることはない。従って、記憶モジュールが記憶する音楽データが不特定多数の携帯型音楽再生装置で読み出されてコピーされることを防止することができる。
【００２０】
また本発明にあっては、携帯型音楽再生装置は、受信モジュールを装着することでラジオ放送等で放送された音声を出力する機能を追加することができるので、使用者は、必要時にのみ受信モジュールを携帯型音楽再生装置に装着して使用することで、常日頃の携帯性を損なうことなく、ラジオ放送等で放送された音声を出力する追加の機能を必要時に利用することが可能となる。
【００２１】
更に本発明にあっては、携帯型音楽再生装置は、撮影モジュールを装着することで外部を撮影するカメラの機能を追加することができるので、使用者は、必要時にのみ撮影モジュールを携帯型音楽再生装置に装着して使用することで、常日頃の携帯性を損なうことなく、外部の風景を撮影する追加の機能を必要時に利用することが可能となる等、本発明は優れた効果を奏する。
【発明を実施するための最良の形態】
【００２２】
以下本発明をその実施の形態を示す図面に基づき具体的に説明する。
図１は、本発明の携帯型音楽再生装置を含む音楽再生システムの内部構成を示すブロック図である。携帯型音楽再生装置１は、演算を行うＣＰＵ１０１、演算に伴う情報を記憶するＲＡＭ１０２、及び制御プログラムを記憶するＲＯＭ１０３を備えている。ＣＰＵ１０１は、ＲＯＭ１０３が記憶する制御プログラムに従って携帯型音楽再生装置１全体の動作を制御する構成となっている。ＣＰＵ１０１には、半導体メモリでなる記憶部（記憶手段、第１記憶手段）１１０が接続されており、記憶部１１０は、ＭＰ３ファイル等の音楽データを記憶する構成となっている。
【００２３】
またＣＰＵ１０１には、ＭＰ３ファイル等の音楽データをデコードする処理を行うデコーダ部１０６と、デコーダ部１０６がデコードした音楽データを処理して音声信号へ変換する音声処理部１０４とが接続されている。音声処理部１０４にはイヤホン端子１０５が接続されており、イヤホン端子１０５にはイヤホンが接続可能であり、イヤホンを用いて音楽が再生される。このようにして、デコーダ部１０６及び音声処理部１０４は本発明に係る再生手段として機能する。またＣＰＵ１０１には、使用者の操作によって演奏の開始指示等の各種の指示が入力される操作部１１３が接続されている。
【００２４】
また携帯型音楽再生装置１は、記憶モジュール２等のモジュールを装着して接続するためのモジュール用コネクタ（装着手段）１０９を備えている。モジュール用コネクタ１０９には、モジュール用コネクタ１０９に接続したモジュールとの間で各種の信号を交換するモジュール用インタフェース部１０７と、モジュール用コネクタ１０９に接続したモジュールを識別するモジュール識別部１０８とが接続されている。またモジュール用インタフェース部１０７及びモジュール識別部１０８はＣＰＵ１０１に接続されている。更に携帯型音楽再生装置１は、ＰＣに接続するためのＵＳＢ（Universal Serial Bus）コネクタ等のＰＣ用コネクタ１１２、及びＰＣ用コネクタ１１２で接続したＰＣとの間でデータを交換するＰＣ用インタフェース部１１１を備えており、ＰＣ用インタフェース部１１１はＣＰＵ１０１に接続されている。携帯型音楽再生装置１は、図示しない電池を備え、電池から電力を供給されて各部分が駆動している。
【００２５】
記憶モジュール２は、携帯型音楽再生装置１のモジュール用コネクタ１０９に接続するコネクタ２４を備えている。コネクタ２４には半導体メモリ又はハードディスクでなる記憶部（第２記憶手段）２１と、液晶パネル又はＥＬ（Electroluminescence ）パネル等でなる表示部２２と、ＲＯＭ２３とが接続されている。記憶部２１は、携帯型音楽再生装置１の記憶部１１０よりも大容量に構成されており、記憶部１１０よりも大量の音楽データを記憶できる。またＲＯＭ２３は、記憶モジュール２を認証するための認証情報を記憶しており、本発明に係る認証情報記憶手段として機能する。ＲＯＭ２３が記憶する認証情報は、特定の携帯型音楽再生装置１のＲＯＭ１０３が記憶するシリアル番号等の特定の情報に対応する情報である。記憶モジュール２は、製造時に特定の携帯型音楽再生装置１に対応する認証情報がＲＯＭ２３に記憶される形態でもよく、又は、最初に接続した携帯型音楽再生装置１に対応する認証情報をＲＯＭ２３が記憶する形態であってもよい。
【００２６】
記憶モジュール２のコネクタ２４がモジュール用コネクタ１０９に接続した場合、モジュール識別部１０８は記憶モジュール２を識別し、ＣＰＵ１０１は、記憶モジュール２が当該の携帯型音楽再生装置１に対応する特定のモジュールであるか否かを認証する処理を実行する。図２は、携帯型音楽再生装置１が行う記憶モジュール２を認証する処理の手順を示すフローチャートである。ＣＰＵ１０１は、モジュール用コネクタ１０９に記憶モジュール２が接続することを随時待ち受けている（Ｓ１１）。記憶モジュール２の接続の際には、コネクタ２４がモジュール用コネクタ１０９に接続し、接続したモジュールが記憶モジュール２であることをモジュール識別部１０８が識別する。記憶モジュール２の接続がない場合には（Ｓ１１：ＮＯ）、ＣＰＵ１０１は、記憶モジュール２の接続の待ち受けを続行する。記憶モジュール２がモジュール用コネクタ１０９に接続した場合は（Ｓ１１：ＹＥＳ）、ＣＰＵ１０１は、モジュール用インタフェース部１０７、モジュール用コネクタ１０９及びコネクタ２４を介して、記憶モジュール２のＲＯＭ２３から認証情報を読み出す（Ｓ１２）。ＣＰＵ１０１は、次に、読み出した認証情報がＲＭ１０３で予め記憶している所定の情報と正当に対応するか否かを判定することにより、記憶モジュール２が携帯型音楽再生装置１に対応する特定のモジュールであるか否かを認証情報に基づいて判定する（Ｓ１３）。記憶モジュール２が携帯型音楽再生装置１に対応する特定のモジュールである場合は（Ｓ１３：ＹＥＳ）、ＣＰＵ１０１は、記憶モジュール２の記憶部１２に対して音楽データの読み書きが可能であるように設定し（Ｓ１４）、処理を終了する。記憶モジュール２が携帯型音楽再生装置１に対応する特定のモジュールではない場合は（Ｓ１３：ＮＯ）、ＣＰＵ１０１は、記憶モジュール２の記憶部１２に対して音楽データの読み書きを禁止するように設定し（Ｓ１５）、処理を終了する。
【００２７】
以上のように、携帯型音楽再生装置１は、記憶モジュール２を認証し、記憶モジュール２が携帯型音楽再生装置１に対応する特定のモジュールではない場合は、携帯型音楽再生装置１が記憶モジュール２から音楽データを読み出すことを禁止する。これにより、記憶モジュール２から音楽データを読み出すことができるのは記憶モジュール２が対応する特定の携帯型音楽再生装置１のみであり、その他の携帯型音楽再生装置１に記憶モジュール２が接続した場合でも、記憶モジュール２から音楽データが読み出されることはない。従って、記憶モジュール２が記憶する音楽データが不特定多数の携帯型音楽再生装置１で読み出されてコピーされることを防止することができる。
【００２８】
図３は、携帯型音楽再生装置１の使用形態に応じた外観の例を示す模式図である。図３（ａ）は、携帯型音楽再生装置１を単独で使用する際の外観を示し、図３（ｂ）は、記憶モジュール２が接続した携帯型音楽再生装置１を使用する際の外観を示す。携帯型音楽再生装置１の正面には複数のボタンで構成される操作部１１３が設けられており、またイヤホン１１４がイヤホン端子１０５に接続されている。使用者は操作部１１３を操作して音楽の再生指示を入力し、イヤホン１１４を用いて音楽を聴くことができる。記憶モジュール２は、図３（ｂ）に示す如く、カード形状に構成されており、携帯型音楽再生装置１の側面に設けられたモジュール用コネクタ１０９が記憶モジュール２を装着することで記憶モジュール２が携帯型音楽再生装置１に固定される。記憶モジュール２の表示部２２は、記憶モジュール２が携帯型音楽再生装置１に接続した状態で正面に向くように設けられており、使用者は表示部２２の表示内容を視認しながら操作することができる。
【００２９】
図４は、携帯型音楽再生装置１が実行する処理の手順を示すフローチャートである。ＣＰＵ１０１は、ＰＣ用コネクタ１１２がＰＣに接続しているか否かを判定し（Ｓ２０１）、ＰＣ用コネクタ１１２がＰＣに接続している場合は（Ｓ２０１：ＹＥＳ）、接続相手のＰＣから転送された音楽データをＰＣ用コネクタ１１２及びＰＣ用インタフェース部１１１を介して受け付けることを待ち受ける（Ｓ２０２）。ＰＣから音楽データの受け付けがない場合は（Ｓ２０２：ＮＯ）、ＣＰＵ１０１は、音楽データの待ち受けを続行する。ＰＣから音楽データを受け付けた場合は（Ｓ２０２：ＹＥＳ）、ＣＰＵ１０１は、音楽データの読み書きが可能な記憶モジュール２が接続しているか否かを判定する（Ｓ２０３）。音楽データの読み書きが可能な記憶モジュール２が接続している場合は（Ｓ２０３：ＹＥＳ）、ＣＰＵ１０１は、ＰＣから受け付けた音楽データを、モジュール用インタフェース部１０７、モジュール用コネクタ１０９及びコネクタ２４を介して記憶モジュール２へ転送して、記憶モジュール２の記憶部２１に記憶させ（Ｓ２０４）、処理を終了する。ステップＳ２０３で音楽データの読み書きが可能な記憶モジュール２が接続していない場合は（Ｓ２０３：ＮＯ）、ＣＰＵ１０１は、ＰＣから受け付けた音楽データを記憶部１１０に記憶させ（Ｓ２０５）、処理を終了する。
【００３０】
ステップＳ２０１でＰＣ用コネクタ１１２がＰＣに接続していない場合は（Ｓ２０１：ＮＯ）、ＣＰＵ１０１は、使用者が操作部１１３を操作することによって音楽の再生指示が操作部１１３に入力されることを待ち受ける（Ｓ２０６）。再生指示の入力がない場合は（Ｓ２０６：ＮＯ）、ＣＰＵ１０１は、再生指示の待ち受けを続行する。音楽の再生指示が操作部１１３に入力された場合は（Ｓ２０６：ＹＥＳ）、ＣＰＵ１０１は、音楽データの読み書きが可能な記憶モジュール２が接続しているか否かを判定する（Ｓ２０７）。音楽データの読み書きが可能な記憶モジュール２が接続している場合は（Ｓ２０７：ＹＥＳ）、ＣＰＵ１０１は、モジュール用インタフェース部１０７、モジュール用コネクタ１０９及びコネクタ２４を介して、操作部１１３で受け付けた再生指示に係る音楽データを記憶モジュール２の記憶部２１から読み出す（Ｓ２０８）。ＣＰＵ１０１は、次に、読み出した音楽データに基づいた音楽の曲名又は演奏者名等、読み出した音楽データに係る情報を記憶モジュール２の表示部２２に表示させる（Ｓ２０９）。ステップＳ２０７で音楽データの読み書きが可能な記憶モジュール２が接続していない場合は（Ｓ２０７：ＮＯ）、ＣＰＵ１０１は、操作部１１３で受け付けた再生指示に係る音楽データを記憶部１１０から読み出す（Ｓ２１０）。ステップＳ２０９又はステップＳ２１０が終了した後は、ＣＰＵ１０１は、読み出した音楽データをデコーダ部１０６にデコードさせ、デコード後のデータを音声処理部１０４に音声信号へ変換させ、イヤホン端子１０５に接続されたイヤホン１１４に音声信号に基づいた音声を出力させることにより、音楽データに基づいた音楽を再生し（Ｓ２１１）、処理を終了する。処理を終了した後は、ＣＰＵ１０１は、ステップＳ２０１から同様の処理を繰り返す。またＣＰＵ１０１は、操作部１１３で受け付けた処理指示に従って、記憶部１１０と記憶モジュール２の記憶部２１との間で音楽データをコピー又は移動する処理を行うことも可能である。
【００３１】
以上詳述した如く、本発明の携帯型音楽再生装置１は、音楽データを記憶部１１０に記憶し、音楽データに基づいた音楽を再生する。また記憶モジュール２を装着している状態では、携帯型音楽再生装置１は、音楽データを記憶モジュール２の記憶部２１に記憶し、記憶部２１が記憶する音楽データに基づいた音楽を再生する。記憶モジュール２の記憶部２１は、携帯型音楽再生装置１が内部に備える記憶部１１０よりも大容量であってより大量の音楽データを記憶できるので、記憶モジュール２を装着した携帯型音楽再生装置１は、記憶モジュール２を装着しない場合に比べて、再生できる音楽の楽曲数がより多くなる。従って、使用者は、通勤時等の携帯性を重視したい状況では携帯型音楽再生装置１のみを使用し、旅行時等の音楽を聴く時間がより長くなる状況では記憶モジュール２を装着した携帯型音楽再生装置１を使用する等、使用状況に応じて携帯性又は再生可能な楽曲数の多さを優先した形態で使用することが可能となる。
【００３２】
また本発明の音楽再生システムは、携帯型音楽再生装置１に装着するモジュールを交換することによって携帯型音楽再生装置１に他の機能を追加することができる構成となっている。図５は、携帯型音楽再生装置１に装着して音楽再生システムを構成する受信モジュール３の内部構成を示すブロック図である。受信モジュール３は、ラジオ放送による放送波を受信するアンテナ３２を備え、アンテナ３２は、アンテナ３２が受信した放送波を音声データへ変換するチューナ部３３に接続されている。チューナ部３３は、携帯型音楽再生装置１のモジュール用コネクタ１０９に接続するコネクタ３１に接続されている。またコネクタ３１には、液晶パネル又はＥＬパネル等でなる表示部３４と、使用者が操作してチューニング等を行うための操作部３５とが接続されている。アンテナ３２及びチューナ部３３は、本発明に係る受信手段として機能する。受信モジュール３は、図１に内部構成を示した携帯型音楽再生装置１に装着して本発明の音楽再生システムを構成する。
【００３３】
図６は、携帯型音楽再生装置１に受信モジュール３が接続した音楽再生システムの外観の例を示す模式図である。受信モジュール３は、携帯型音楽再生装置１のモジュール用コネクタ１０９にコネクタ３１が接続することで携帯型音楽再生装置１に装着して固定される。受信モジュール３の表示部３４は、受信モジュール３が携帯型音楽再生装置１に接続した状態で正面に向くように設けられており、使用者は表示部３４の表示内容を視認しながら操作部３５を操作することができる。携帯型音楽再生装置１のＣＰＵ１０１は、受信モジュール３の操作部３５で入力された指示に従って、アンテナ３２が放送波を受信してチューナ部３３が変換した音声データを音声処理部１０４に音声信号へ変換させ、イヤホン端子１０５に接続されたイヤホン１１４に音声信号に基づいた音声を出力させる。またこの際に、ＣＰＵ１０１は、アンテナ３２が受信する放送波に係る周波数等の情報を表示部３４に表示させる。
【００３４】
以上の如くにして、携帯型音楽再生装置１は、受信モジュール３を装着している状態では、ラジオ放送で放送された音声データを受信モジュール３を用いて受信し、受信した音声データに基づいて音声を出力する。このようにして、携帯型音楽再生装置１は、受信モジュール３を装着することでラジオ放送等で放送された音声を出力する機能を追加することができる。従って、使用者は、必要時にのみ受信モジュール３を携帯型音楽再生装置１に装着して使用することで、常日頃の携帯性を損なうことなく、ラジオ放送等で放送された音声を出力する追加の機能を必要時に利用することが可能となる。
【００３５】
図７は、携帯型音楽再生装置１に装着して音楽再生システムを構成する撮影モジュール４の内部構成を示すブロック図である。撮影モジュール４は、外部の光を内部へ導くレンズ等からなる光学系４２と、受光素子及び画像処理部を用いてなり、光学系４２が導いた光を受光して外部を撮影し、撮影した画像を表す撮影画像データを作成する撮影部４３とを備えている。撮影部４３は、携帯型音楽再生装置１のモジュール用コネクタ１０９に接続するコネクタ４１に接続されている。またコネクタ４１には、液晶パネル又はＥＬパネル等でなる表示部４４と、使用者が操作して撮影の指示等の各種の指示を入力するための操作部４５とが接続されている。撮影モジュール４は、図１に内部構成を示した携帯型音楽再生装置１に装着して本発明の音楽再生システムを構成する。
【００３６】
図８は、携帯型音楽再生装置１に撮影モジュール４が接続した音楽再生システムの外観の例を示す模式的斜視図である。撮影モジュール４は、携帯型音楽再生装置１のモジュール用コネクタ１０９にコネクタ４１が接続することで携帯型音楽再生装置１に装着して固定される。撮影モジュール４の表示部４４及び操作部４５は、撮影モジュール４が携帯型音楽再生装置１に接続した状態で正面に向くように設けられている。また光学系４２の開口面４６は、携帯型音楽再生装置１の上面側に向くように設けられている。携帯型音楽再生装置１のＣＰＵ１０１は、撮影部４３が外部を撮影した画像を表示部４４に表示させる処理を行う。これにより、使用者は、表示部４４の表示内容を視認しながら操作部４５を操作して撮影の指示を入力することができる。ＣＰＵ１０１は、撮影モジュール４の操作部４５で入力された撮影の指示に従って、撮影部４３に撮影画像データを作成させ、モジュール用インタフェース部１０７、モジュール用コネクタ１０９及びコネクタ４１を介して撮影画像データを取り込み、取り込んだ撮影画像データを記憶部１１０に記憶させる。ＣＰＵ１０１は、撮影モジュール４の操作部４５で入力された撮影の指示に従って、記憶部１１０が記憶する撮影画像データが表す画像を表示部４４に表示する処理を行う。またＣＰＵ１０１は、ＰＣ用コネクタ１１２がＰＣに接続している状態では、ＰＣ用インタフェース部１１１及びＰＣ用コネクタ１１２を介して、記憶部１１０が記憶する撮影画像データをＰＣへ転送する処理を行うことも可能である。
【００３７】
以上の如くにして、携帯型音楽再生装置１は、撮影モジュール４を装着している状態では、撮影モジュール４を用いて外部を撮影して撮影画像データを作成し、作成した撮影画像データを記憶する。このようにして、携帯型音楽再生装置１は、撮影モジュール４を装着することで外部を撮影するカメラの機能を追加することができる。従って、使用者は、必要時にのみ撮影モジュール４を携帯型音楽再生装置１に装着して使用することで、常日頃の携帯性を損なうことなく、外部の風景を撮影する追加の機能を必要時に利用することが可能となる。
【図面の簡単な説明】
【００３８】
【図１】本発明の携帯型音楽再生装置を含む音楽再生システムの内部構成を示すブロック図である。
【図２】携帯型音楽再生装置が行う記憶モジュールを認証する処理の手順を示すフローチャートである。
【図３】携帯型音楽再生装置の使用形態に応じた外観の例を示す模式図である。
【図４】携帯型音楽再生装置が実行する処理の手順を示すフローチャートである。
【図５】携帯型音楽再生装置に装着して音楽再生システムを構成する受信モジュールの内部構成を示すブロック図である。
【図６】携帯型音楽再生装置に受信モジュールが接続した音楽再生システムの外観の例を示す模式図である。
【図７】携帯型音楽再生装置に装着して音楽再生システムを構成する撮影モジュールの内部構成を示すブロック図である。
【図８】携帯型音楽再生装置に撮影モジュールが接続した音楽再生システムの外観の例を示す模式的斜視図である。
【符号の説明】
【００３９】
１  携帯型音楽再生装置
１０１  ＣＰＵ
１０４  音声処理部
１０６  デコーダ部
１０９  モジュール用コネクタ（装着手段）
１１０  記憶部（記憶手段、第１記憶手段）
２  記憶モジュール
２１  記憶部（第２記憶手段）
３  受信モジュール
３２  アンテナ
３３  チューナ部
４  撮影モジュール
４２  光学系
４３  撮影部
【図１】
2007101898.tif 000003
【図２】
2007101898.tif 000004
【図３】
2007101898.tif 000005
【図４】
2007101898.tif 000006
【図５】
2007101898.tif 000007
【図６】
2007101898.tif 000008
【図７】
2007101898.tif 000009
【図８】
2007101898.tif 000010